(57)【特許請求の範囲】
【請求項１】
内側に雌螺旋溝が形成された円筒状の外筒と、
先端に棒状化粧料が挿通可能な開口部を有する先筒と、
内側に棒状化粧料を収容可能であり、軸方向に摺動用スリットが形成されているパイプ部材と、
外周面に前記外筒の雌螺旋溝と螺合する雄螺旋条が形成された環状部と環状部から内側へ半径方向に突出させた押出し部を有するスライダーと、
を備える棒状化粧料繰出し容器であって、
前記外筒の先端部分に先筒が、該外筒に対して周方向回転可能且つ軸線方向移動不能に装着され、
先筒と外筒にわたりこれらの内部に前記パイプ部材が配置されてパイプ部材の先端開口を先筒の開口部と連通させると共にパイプ部材の先端部が先筒の内部に回転不能、且つ、軸線方向移動不能に取付けられ、
前記スライダーが、環状部で前記パイプ部材の外周を覆うようにして、また、前記押出し部が摺動用スリットからパイプ部材内部に突出するようにして、パイプ部材に装着されるとともに、環状部の前記雄螺旋条を外筒の雌螺旋溝に螺合させてあることを特徴とする棒状化粧料繰出し容器。
【請求項２】
スライダーの前進限において前記雌螺旋溝と雄螺旋条の螺合が一時的に解除されるものであり、
前記外筒と前記先筒とを相対回転させることによって前記スライダーが該外筒内を前進し、該スライダーの前進限において前記相対回転によるスライダーへの動力伝達が遮断されることを特徴とする請求項１に記載の棒状化粧料繰出し容器。
【請求項３】
内側に雌螺旋溝が形成された円筒状の外筒と、
先端に棒状化粧料が挿通可能な開口部を有する先筒と、
内側に棒状化粧料を収容可能であり、軸方向に摺動用スリットが形成されているパイプ部材と、
外周面に前記外筒の雌螺旋溝と螺合する雄螺旋条が形成された環状部と環状部から内側へ半径方向に突出させた連絡部とその先端に一体に設けられパイプ部材内部において棒状化粧料の後端部を支持する押出し部を有するスライダーと、
を備える棒状化粧料繰出し容器であって、
前記外筒の先端部分に先筒が、該外筒に対して周方向回転可能且つ軸線方向移動不能に装着され、
先筒と外筒にわたりこれらの内部に前記パイプ部材が配置されてパイプ部材の先端開口を先筒の開口部と連通させると共にパイプ部材の先端部が先筒の内部に回転不能、且つ、軸線方向移動不能に取付けられ、
前記スライダーが、環状部で前記パイプ部材の外周を覆うようにして、また、連絡部を摺動用スリットに位置させ、前記押出し部をパイプ部材内部に挿入してパイプ部材に装着されるとともに、環状部の前記雄螺旋条を外筒の雌螺旋溝に螺合させてあることを特徴とする棒状化粧料繰出し容器。
【請求項４】
スライダーの前進限において前記雌螺旋溝と雄螺旋条の螺合が一時的に解除されるものであり、
前記外筒と前記先筒とを相対回転させることによって前記スライダーが該外筒内を前進し、該スライダーの前進限において前記相対回転によるスライダーへの動力伝達が遮断されることを特徴とする請求項３に記載の棒状化粧料繰出し容器。
【請求項５】
押出し部は、環状部と同心で軸方向に延び、環状部よりも長い筒体より成る請求項３又は４に記載の棒状化粧料繰出し容器。
【請求項６】
環状部はパイプ部材の外周に沿って前後に移動可能であると共に、環状部の内径がパイプ部材の外径よりもわずかに大きい程度で、ガイド部材兼用の前記押出し部とともにパイプ部材をその内外から保持するものであることを特徴とした請求項３〜５のいずれか一つに記載の棒状化粧料繰出し容器。
【請求項７】
スライダーの前進限において前記雌螺旋溝と雄螺旋条の螺合が一時的に解除される構造は、スライダーが先筒の後端面に当接して前進できないことにより雄螺旋条に対して雌螺旋溝の壁が乗り上げて雌螺旋溝と雄螺旋条の螺合が解除されるものであることを特徴とした請求項１〜６のいずれか一つに記載の棒状化粧料繰出し容器。
【発明の詳細な説明】
【技術分野】
【０００１】
本発明は、棒状の口紅、アイブロウ、アイシャドウ等を収容し、必要な長さだけ繰り出して使用する棒状化粧料繰出し容器（以下、繰出し容器）に関する。
なお、この発明における棒状化粧料は、常温時又は冷却時には成形された形状を維持し、成形前（容器内への充填前）等は流動性がある状態である。
【背景技術】
【０００２】
特許文献１に記載された従来の棒状部材繰出装置（繰出し容器の一つ）は、螺旋溝を設けた軸筒（１）と、軸筒（１）内に回動自在に設けた内筒（２）と、内筒（２）に内蔵したスライダー（３）とを備える。また、内筒（２）に長手方向に沿った後溝（２Ｅ）及び回転操作するための操作部材（４）を設け、スライダー（３）に隆起部（３Ｂ）を形成すると共に、隆起部（３Ｂ）の外周に突起（３Ｃ）を形成し、内筒（２）の後溝（２Ｅ）にスライダー（３）の隆起部（３Ｂ）を係合してスライダー（３）を内筒に対して長手方向へ摺動自在、かつ、回動不能に装着し、軸筒（１）の螺旋溝（１Ａ）とスライダー（３）の突起を係合してある。
そして、操作部材（４）を操作して内筒（２）を回転させることにより、軸筒（１）に螺合したスライダー（３）を繰出し容器の前後方向に摺動させてスライダー（３）が保持する棒状部材（この場合、クレヨン５）を繰り出し、スライダー（３）が前進限度位置に達すると、スライダー（３）の隆起部（３Ｂ）が後溝（２Ｅ）の前端部に当接してスライダー（３）の前進が停止するようになっている。
【先行技術文献】
【特許文献】
【０００３】
【特許文献１】特開２００９−４５８３６号公報
【発明の概要】
【発明が解決しようとする課題】
【０００４】
しかし、特許文献１に記載のものは、スライダー（３）が後溝（２Ｅ）の前端部に当接してその前進が停止されているにも拘わらず、さらに操作部（４）を回転すると、前進が抑えられているために回転ができないスライダー（３）に対して内筒が無理に回転されることになる。すると、内筒（２）はその後溝（２Ｅ）に係合しているスライダー（３）の隆起部（３Ｂ）によって捻られるような作用を受け、内筒（２）のスリット状に長い後溝（２Ｅ）が押し広げられる。そして、ついには負荷のために内筒（２）が破損してしまうことがあった。このようになると、繰出容器は棒状部材（５）を交換して使用できるはずであるのに放棄せざるを得なくなって、消費者の信頼を裏切ることになる。また、特許文献１に記載の構造ではないが、構造上、使い切り状態で残量があるものでは、繰出し容器が壊れたため最後まで使い切れなかったとの誤解を与えてしまう心配がある。
さらに、特許文献１に記載のものにおける内筒（２）は操作部材（４）の回転をスライダー（３）に伝達するための部材であって容器ではなく、スライダー（３）の隆起部（３Ｂ）を移動させるための比較的に幅の広い後溝（２Ｅ）が対向して２条形成されるので、内筒（２）に配置できるのは成形後の棒状部材であって、軟質あるいは流動可能な状態の材料を内筒（２）へ充填することによって棒状部材とできるものではない。
本発明は、繰出し操作の最後になっても繰出し容器に破損がなく、また、繰出し容器に棒状化粧料を、その材料を充填によって配置することが可能な棒状化粧料繰出し容器の提供を目的とする。
【課題を解決するための手段】
【０００５】
本発明の棒状化粧料繰出し容器は次の特徴を備えた構成とする。
棒状化粧料を収容したパイプ部材と、外筒および外筒の先端に前記外筒に対して相対回動可能に取付けた先筒と、パイプ部材に外嵌され前後に移動が可能であって棒状化粧料をパイプ部材から押出す押出し部を備えたスライダーとを備え、先筒と外筒の内部にわたり前記のパイプ部材を、その先端の開口を先筒先端の開口に連通させ、且つ、先端部を先筒に固定して配置し、スライダーを先筒と外筒の相対回動による動力で前進させて棒状化粧料を繰出す。
【０００６】
スライダーの前進限度位置において、先筒と外筒の相対回動によるスライダーへの動力伝達がクラッチ動作（クラッチ回転ともいう）により遮断される構成とすることがある。
すなわち、内側に雌螺旋溝が形成された円筒状の外筒と、先端に棒状化粧料が挿通可能な開口部を有する先筒と、内側に棒状化粧料を収容可能であり、軸方向に摺動用スリットが形成されているパイプ部材と、外周面に前記外筒の雌螺旋溝と螺合する雄螺旋条が形成された環状部と環状部から内側へ半径方向に突出させた押出し部を有するスライダーとを備え、前記外筒の先端部分に先筒が、該外筒に対して周方向回転可能且つ軸線方向移動不能に装着され、先筒と外筒にわたりこれらの内部に前記パイプ部材が配置されてパイプ部材の先端開口を先筒の開口部と連通させると共にパイプ部材の先端部が先筒の内部に回転不能、且つ、軸線方向移動不能に取付けられ、前記スライダーが、環状部で前記パイプ部材の外周を覆うようにして、また、前記押出し部が摺動用スリットからパイプ部材内部に突出するようにして、パイプ部材に装着されるとともに、環状部の前記雄螺旋条を外筒の雌螺旋溝に螺合させてあり、スライダーの前進限において前記雌螺旋溝と雄螺旋条の螺合が一時的に解除されるものであり、前記外筒と前記先筒とを相対回転させることによって前記スライダーが該外筒内を前進し、該スライダーの前進限において前記相対回転によるスライダーへの動力伝達が遮断されることを特徴とした構成とすることもできる。
【０００７】
前記において、スライダーの構成を、外周面に前記外筒の雌螺旋溝と螺合する雄螺旋条が形成された環状部と環状部から内側へ半径方向に突出させた連絡部とその先端に一体に設けられパイプ部材の内部において棒状化粧料の後端部を支持する押出し部を有する構成とすることができる。スライダーは、環状部で前記パイプ部材の外周を覆うようにして、また、連絡部を摺動用スリットに位置させ、その先端の前記押出し部をパイプ部材内部に挿入してこのパイプ部材に外嵌させる。
この場合、押出し部は、環状部と同心で軸方向に延び、環状部よりも長い筒体としてもよい。
スライダーにおける環状部材は、パイプ部材の外周に沿って前後に移動可能であると共に、環状部の内径がパイプ部材の外径よりもわずかに大きい程度で、前記の押出し部兼用ガイド部材とともにパイプ部材をその内外から保持する構成とすることができる。
スライダーの前進限において前記雌螺旋溝と雄螺旋条の螺合が一時的に解除される前記のクラッチ動作のための構造を、スライダーが先筒の後端面に当接して前進できないことにより雄螺旋条に対して雌螺旋溝の壁が乗り上げて雌螺旋溝と雄螺旋条の螺合が解除されるものとすることができる。
【発明の効果】
【０００８】
請求項１に係る発明によれば、棒状化粧料を繰出す押出し部を備えたスライダーがパイプ部材に沿って移動することにより棒状化粧料が繰出されるので、パイプ部材のほぼ全長に棒状化粧料を配置することができ、同じ規模であるがパイプ部材の後端にこれと直列の定位置に化粧料押出し部を配置した構成に比べて、繰出し容器に装填できる化粧料の量をより多くすることができる。
請求項２に係る発明によれば、スライダーが前進限度位置となったとき、先筒と外筒の相対回動によるスライダーへの動力が押出し部を介してパイプ部材へ伝わることがなく、パイプ部材が破損してしまう事態を防止することができる。
【０００９】
請求項３に係る発明によれば、スライダーの移動が外筒の螺旋溝とスライダーの螺旋条との螺合によって行われるのでスライダーの移動が確実であり、また、微量移動も行いやすい。パイプ部材に摺動用スリットを設け、これにスライダーの押出し部を嵌入させて棒状化粧料を押出す簡単な構造なので、組み立てやすく製品のコストを低減することができる。
請求項４に係る発明によれば、スライダーを前後へ移動させることにより、押出し部で支持した棒状化粧料を確実に繰り出したり引き込んだりできる。
【００１０】
請求項５に係る発明によれば、スライダーの移動がパイプ部材に誘導され、前後方向に対して側方へ揺らぐ動きが抑制されるので、先筒と外筒を相対回動させることによる棒状化粧料の繰出し操作が滑らかになる。
請求項６に係る発明によれば、パイプ部材の壁面が内外から規制されてパイプが変形しにくく、また、パイプ部材によってスライダーが直線的にガイドされやすい。
請求項７に係る発明によれば、外筒側あるいはスライダー側に形態又は素材によって多少の弾力を持たせることでクラッチ動作のための構造を安価に採用することができる。
【図面の簡単な説明】
【００１１】
【図１】実施例１を示す棒状化粧料繰出し容器の棒状化粧料引き込み時における側断面図である。
【図２】実施例１を示す棒状化粧料繰出し容器の棒状化粧料繰り出し時における平断面図である。
【図３】棒状化粧料引き込み時における棒状化粧料繰出し容器の先端部側断面図である。
【図４】棒状化粧料引き込み時における棒状化粧料繰出し容器の後端部側断面図である。
【図５】棒状化粧料繰り出し時における棒状化粧料繰出し容器の先端部平断面図である。
【図６】棒状化粧料繰出し容器の要部拡大断面図である。
【図７】パイプ部材及び外筒の後端部平断面図である。
【図８】パイプ部材の斜視図である。
【図９】パイプ部材及び外筒の横断面図である。
【図１０】キャップを外した棒状化粧料繰出し容器の全体を示した斜視図である。
【図１１】スライダーの斜視図である。
【図１２】スライダーの断面図である。
【図１３】キャップの断面図である。
【図１４】実施例２に係るスライダーの斜視図である。
【図１５】実施例２を示すスライダーの側断面図である。
【発明を実施するための形態】
【００１２】
図１〜図１３は、本発明の実施例１を示す。説明の都合上、外筒の中心軸に沿った方向を前後方向とし端部を先端・後端とする。また、回転はすべて前記中心軸周りの回転を意味する。
図１及び図２に示すように、本発明の棒状化粧料繰出し容器１は、棒状化粧料２を収容したパイプ部材３と、外筒４と、外筒４の先端に取り付けた先筒５と、パイプ部材３に外嵌したスライダー６と、先筒５の外面を覆う着脱可能なキャップ７とを備える。
棒状化粧料２は、リップライナー、アイライナー、コンシーラー、アイブロウ等であって、常温時又は冷却時には成形された形状を維持し、成形前（容器内への充填前）の加温された状態では流動性を有する。
また、棒状化粧料繰出し容器１の寸法は、棒状化粧料２の種類によって異なるが、リップライナーやアイライナーであれば細めに形成し、コンシーラー等ではこれより太く形成する。
【００１３】
パイプ部材３は、両端が開口した丸パイプであって、先筒５と外筒４の内部にわたり配置してある。
図８及び図９に示すように、パイプ部材３の先端部外面は、断面多角形（本実施例では八角形）の内部回り止め部８となっている。また、パイプ部材３の周壁には、後端から内部回り止め８のやや後方に亘って、スライダー６をガイドする摺動用スリット９を軸方向に沿って形成してある。摺動用スリット９の後端部には、スライダー６の安易な脱出を防ぐために幅の狭いストッパ部１０を形成してある。
【００１４】
外筒４は、合成樹脂等を素材とし、両端が開口した円筒形をなす。
外筒４の前端部内面には周方向に沿って環状溝１１を形成し（図３及び図５）、後端部は蓋体１２で閉鎖してある（図４及び図７）。蓋体１２はパイプ部材３の後端面に当接して、パイプ部材３の後方への移動を規制している。
また、外筒４の内面には、先端部及び後端部を除いて雌螺旋溝１３を形成してある（図１及び図２）。
なお、細長く、内面に雌螺旋溝１３を有する外筒４は、一体に押し出し成型するのが難しいため、図１０に示すように、断面半円形の２部材４ａ，４ｂをそれぞれ成形した後にこれらを接合して円筒状に形成するのであるが、外筒４の前端部外面には先筒５との嵌合に支障となる継ぎ目４ｃができてしまうので、２部材４ａ，４ｂの継ぎ目４ｃを削り取るように周方向に沿って帯状の平坦部１４を形成してある。
【００１５】
図５に示すように、先筒５は先細状の円筒であり、先筒５の先端には、パイプ部材３の先端の開口と連通し、棒状化粧料２を挿通可能な開口部１５が形成されている。
開口部１５の周縁には内向きのリブ１６が形成され、このリブ１６にパイプ部材３の先端面が当接して、パイプ部材３の前方への移動が規制されている。
先筒５の外面には外筒４の先端面を突き当てる段部１７が形成され、段部１７より後方の部分を外筒４の先端部（雌螺旋溝１３が形成されていない部分）内に嵌合してある。なお、先筒５の後端面は、雌螺旋溝１３の前端からやや間隔をおいて前方に位置する。
【００１６】
また、先筒５の後端部外面には周方向に沿って環状突起１８を形成してあり、環状突起１８を外筒４の環状溝１１と係合することにより、先筒５を外筒４に対して周方向へ回転可能に、かつ、軸方向へ移動不能に装着する。
さらに、環状突起１８と段部１７との間において先筒５の外周囲には、外筒４の内面に密着するＯリング１９を装着してある。
先筒５の内面は断面多角形（本実施例では八角形）の外部回り止め部２０となっており（図９）、外部回り止め部２０はパイプ部材３の内部回り止め部８と嵌合している。これによりパイプ部材３の先端部と先筒５は回転不能、且つ、前記のリブ１６と後部の蓋体１２とにより軸線方向移動不能に取り付けられ、外筒４を先筒５に対して回転させると、外筒４とパイプ部材３とが相対回転する。
【００１７】
スライダー６は、図１１及び図１２に示すように、パイプ部材３の外周を覆う環状部２１、環状部２１から内側へ半径方向に突出した連絡部２２、及び連絡部２２の先端に一体に設けた押出し部２３を有する。
環状部２１の前後方向の寸法は、先筒５の後端面から雌螺旋溝１３の前端までの距離よりやや大きく、環状部２１の外面には外筒４の雌螺旋溝１３と螺合する雄螺旋条２４を形成してある。
連絡部２２は、環状部２１と押出し部２３とを一体に連結しているものであり、その連絡部２２の先端部は環状部２１の先端から前方へ突出している。
押出し部２３は、環状部２１と同軸であって軸方向に延び、環状部２１よりも長い筒体で構成されている。押出し部２３の内面中間部は、先端側が径大なテーパー部２５となっている。テーパー部２５の肉厚は、テーパー部２５より後方部分の肉厚に比べて薄くなっている。
【００１８】
スライダー６は、環状部２１をパイプ部材３に外嵌し、また、連絡部２２を摺動用スリット９に位置させ、押出し部２３をパイプ部材３の内部に挿入してパイプ部材３に装着される。したがって、スライダー６は、パイプ部材３に対して回転不能、且つ、摺動用スリット９に沿って移動可能に組みつけられることになる。
また、環状部２１の雄螺旋条２４を外筒４の雌螺旋溝１３に螺合させ、押出し部２３の先端部で棒状化粧料２の後端部を支持する。
なお、スライダー６は、パイプ部材３を先筒５と外筒４の内部に組み付ける前に、パイプ部材３に装着し、この状態でパイプ部材３の内部に棒状化粧料２を充填しておく。
なお、棒状化粧料２の後端は、押出し部２３の先端側におけるテーパー部２５により捕捉される。
【００１９】
キャップ７は、図１３に示すように、先端面が閉鎖した円筒より成り、後端部内面には軸方向に沿う複数の突条２６を形成し、突条２６の先端側に周方向に沿って封止突起２７を形成してある。
キャップ７を先筒５の先端に被せると、突条２６が外筒４の外面に接触し、封止突起２７が先筒５の平坦部１４に隙間なく密着する（図３）。突条２６はキャップ７を着脱する際のガイドとなる。また、封止突起２７と平坦部１４が密着することにより、先筒５の開口部１５から突出する棒状化粧料２が外界に対して密封され、揮発性の成分を含む棒状化粧料２であっても保管時に変質しにくい。
【００２０】
棒状化粧料２を使用しないときは、スライダー６を後退させ、環状部２１の雄螺旋条２４を外筒４の雌螺旋溝１３の後端部に螺合させると共に、連絡部２２を摺動用スリット９の後端に位置させる（図１及び図４）。
この時、スライダー６の押出し部２３で支持した棒状化粧料２は、その先端が開口部１５からわずかに突出する程度に外筒４及び先筒５内に引き込まれる（図３）。また、先筒５の先端にはキャップ７を装着する。
【００２１】
棒状化粧料２を使用する際には、キャップ７を外し、外筒４を先筒５に対して回転させる。外筒４とスライダー６の環状部２１が螺合し、スライダー６は先筒５に固定されたパイプ部材３に対して回転不能、且つ、摺動用スリット９に沿って移動可能に組み付けられているので、外筒４と先筒５とを相対回転させることによってスライダー６が外筒４内を前進する。この結果、スライダー６の押出し部２３で支持された棒状化粧料２は先筒５の開口部１５から繰り出される（図２）。
棒状化粧料２を必要な長さだけ繰出したら外筒４の回転を停止する。棒状化粧料２を使い終わったら、外筒４を逆回転させてスライダー６を後退させ、棒状化粧料２を引き込む。
【００２２】
棒状化粧料２が短くなると、十分に繰出すためにはスライダー６をより前方へ進めなければならない。しかし、スライダー６の前進限度位置では、環状部２１が先筒５の後端面２８に当たってそれ以上前進できない。それでも、強引に外筒４を繰出し方向へ回転させると、次には雄螺旋条２４に対して雌螺旋溝１３の壁が乗り上げて、雌螺旋溝１３と雄螺旋条２４の螺合がクラッチ動作により一時的に解除される（図５、図６）。この時、この実施例にでは、雄螺旋条２４の後部１／３程度のみが外筒４の雌螺旋溝１３と螺合した状態である。
したがって、スライダー６が前進限度位置に達した後で外筒４を繰出し方向へ回転させても、先筒５と外筒４の相対回転による過剰な動力がスライダー６に伝達されることはなく、スライダー６の回転によってパイプ部材３等が破損するのを防ぐことができる。
なお、この状態から外筒４を逆回転させると、雄螺旋条２４の後部は雌螺旋溝１３を形成した範囲にあるので、雌螺旋溝１３と雄螺旋条２４を螺合状態に復帰させてスライダー６を後退させることができる。
【００２３】
図１４及び図１５は本発明の実施例２を示す。
本実施例では、スライダー６に、棒状化粧料２を支持する筒状の押出し部２３を設けず、環状部２１から内側へ半径方向に延び、摺動用スリット９を通してパイプ部材３の内部に突出したフィンを押出し部２３’としてある。押出し部２３’は棒状化粧料２の後端に臨んで配置される。
スライダー６を前進させると、押出し部２３’が棒状化粧料２を前方へ押して先筒５の開口部１５から繰出すことができる。
しかし、押出し部２３’は棒状化粧料２を支持していないので、スライダー６と共に棒状化粧料２を後退させることはできず、棒状化粧料２を引き込むには指先等で棒状化粧料２を押し込む必要がある。
なお、棒状化粧料２がパイプ部材３への充填時には軟質で、充填と同時に後端部が押出し部２３´のフック部２９に係合できる場合には、外筒４をまわすことで固化後の棒状化粧料２を押出したり、引き戻したりすることができる。この場合は、手で棒状化粧料２の先端を押し込むなどの操作を必要としない。
【符号の説明】
【００２４】
１  棒状化粧料繰出し容器
２  棒状化粧料
３  パイプ部材
４  外筒
５  先筒
６  スライダー
７  キャップ
８  内部回り止め部
９  摺動用スリット
１０  ストッパ部
１１  環状溝
１２  蓋体
１３  雌螺旋溝
１４  平坦部
１５  開口部
１６  リブ
１７  段部
１８  環状突起
１９  Ｏリング
２０  外部回り止め部
２１  環状部
２２  連絡部
２３、２３’  押出し部
２４  雄螺旋条
２５  テーパー部
２６  突条
２７  封止突起
２８  後端面
２９  フック部
【図１】
0005498303.tif 000002
【図２】
0005498303.tif 000003
【図３】
0005498303.tif 000004
【図４】
0005498303.tif 000005
【図５】
0005498303.tif 000006
【図６】
0005498303.tif 000007
【図７】
0005498303.tif 000008
【図８】
0005498303.tif 000009
【図９】
0005498303.tif 000010
【図１０】
0005498303.tif 000011
【図１１】
0005498303.tif 000012
【図１２】
0005498303.tif 000013
【図１３】
0005498303.tif 000014
【図１４】
0005498303.tif 000015
【図１５】
0005498303.tif 000016